【手続補正書】
【提出日】平成26年7月1日(2014.7.1)
【手続補正１】
【補正対象書類名】明細書
【補正対象項目名】００１５
【補正方法】変更
【補正の内容】
【００１５】
本発明は、画像形成装置と印刷対象データを当該画像形成装置で解釈可能なプリンタ言語に変換する機能を有する情報処理装置とを有するローカルエリアネットワーク外に存在し、携帯端末から接続可能な印刷管理サーバであって、前記情報処理装置のアドレスを記憶する記憶手段と、前記画像形成装置のアドレスを含む当該画像形成装置を識別可能な情報を記憶する画像形成装置情報記憶手段と、前記携帯端末からの要求に従って、当該要求の送信元のアドレスと前記画像形成装置情報記憶手段に記憶された情報とを用いて、当該携帯端末と同じローカルエリアネットワーク内にある画像形成装置の候補を送信する画像形成装置候補送信手段と、前記画像形成装置候補送信手段により送信された画像形成装置の候補の中で、前記携帯端末により選択された画像形成装置で解釈可能なプリンタ言語に変換する機能を有する、前記ローカルエリアネットワーク内にある前記情報処理装置のアドレスを、前記記憶手段から取得し前記携帯端末に送信するアドレス送信手段とを有することを特徴とする。
【手続補正２】
【補正対象書類名】特許請求の範囲
【補正対象項目名】全文
【補正方法】変更
【補正の内容】
【特許請求の範囲】
【請求項１】
画像形成装置と印刷対象データを当該画像形成装置で解釈可能なプリンタ言語に変換する機能を有する情報処理装置とを有するローカルエリアネットワーク外に存在し、携帯端末から接続可能な印刷管理サーバであって、
前記情報処理装置のアドレスを記憶する記憶手段と、
前記画像形成装置のアドレスを含む当該画像形成装置を識別可能な情報を記憶する画像形成装置情報記憶手段と、
前記携帯端末からの要求に従って、当該要求の送信元のアドレスと前記画像形成装置情報記憶手段に記憶された情報とを用いて、当該携帯端末と同じローカルエリアネットワーク内にある画像形成装置の候補を送信する画像形成装置候補送信手段と、
前記画像形成装置候補送信手段により送信された画像形成装置の候補の中で、前記携帯端末により選択された画像形成装置で解釈可能なプリンタ言語に変換する機能を有する、前記ローカルエリアネットワーク内にある前記情報処理装置のアドレスを、前記記憶手段から取得し前記携帯端末に送信するアドレス送信手段と
を有することを特徴とする印刷管理サーバ。
【請求項２】
前記携帯端末の存在する前記ローカルエリアネットワーク内に前記情報処理装置があるか判断する判断手段と、
前記アドレス送信手段は、前記判断手段により前記ローカルエリアネットワーク内に前記情報処理装置がある場合に、前記情報処理装置のアドレスを送信することを特徴とする請求項１に記載の印刷管理サーバ。
【請求項３】
前記判断手段は、前記携帯端末からの要求が通過したインターネットを接続するルータのアドレスと、前記記憶手段に記憶された前記ローカルエリアネットワーク内の情報処理装置がインターネットに接続する際に通過するルータのアドレスと、が一致すれば、ローカルエリアネットワーク内の情報処理装置が存在していると判断することを特徴とする請求項２に記載の印刷管理サーバ。
【請求項４】
前記記憶手段は、前記携帯端末から前記情報処理装置に印刷対象データを送信可能な情報を記憶することを特徴とする請求項１乃至３に記載の印刷管理サーバ。
【請求項５】
前記印刷対象データを前記画像形成装置が解釈可能なプリンタ言語で記述された印刷ジョブに変換する印刷ジョブ変換手段と、前記印刷ジョブ変換手段により変換された印刷ジョブを送信する印刷ジョブ送信手段とを有する印刷管理サーバであって、
前記判断手段により、前記携帯端末が通信可能に接続するローカルエリアネットワーク内に前記プリンタ言語の変換機能を備える情報処理装置が存在しないと判断された場合、前記印刷ジョブ変換手段は、前記携帯端末から印刷対象データを受信後、該印刷対象データをプリンタ言語に変換することを特徴とする請求項２乃至３に記載の印刷管理サーバ。
【請求項６】
画像形成装置で解釈可能なプリンタ言語に印刷対象データを変換する機能を有するローカルエリアネットワーク内にある情報処理装置と、携帯端末と、当該携帯端末と接続可能な前記ローカルエリアネットワーク外に存在する印刷管理サーバとを有する印刷管理システムにおいて、
前記印刷管理サーバは、
前記情報処理装置のアドレスを記憶する記憶手段と、
前記画像形成装置のアドレスを含む当該画像形成装置を識別可能な情報を記憶する画像形成装置情報記憶手段と
前記携帯端末からの要求に従って、当該要求の送信元のアドレスと前記画像形成装置情報記憶手段に記憶された情報とを用いて、当該携帯端末と同じローカルエリアネットワーク内にある画像形成装置の候補を送信する画像形成装置候補送信手段と、
前記画像形成装置候補送信手段により送信された画像形成装置の候補の中で、前記携帯端末により選択された画像形成装置で解釈可能なプリンタ言語に変換する機能を有する、前記ローカルエリアネットワーク内にある前記情報処理装置のアドレスを、前記記憶手段から取得し前記携帯端末に送信するアドレス送信手段とを有し、
前記携帯端末は、
前記印刷管理サーバへ前記ローカルエリアネットワーク内にある画像形成装置の候補を要求する画像形成装置候補要求手段と、
前記画像形成装置候補要求手段の要求に従って、前記画像形成装置の候補を前記印刷管理サーバから受信し、前記画像形成装置の候補の中から選択された画像形成装置で解釈可能なプリンタ言語に変換する機能を備える情報処理装置のアドレスを受信するアドレス受信手段と、
前記アドレス受信手段で受信したアドレスの情報処理装置に印刷対象データを送信する印刷データ送信手段とを有し、
前記情報処理装置は、
前記印刷データ送信手段により送信された印刷対象データを受信後、該印刷対象データを前記画像形成装置が解釈可能なプリンタ言語で記述された印刷ジョブに変換する印刷ジョブ変換手段と、
前記印刷ジョブ変換手段により変換した印刷ジョブを前記画像形成装置に送信する印刷ジョブ送信手段と
を有することを特徴とする印刷管理システム。
【請求項７】
画像形成装置と印刷対象データを前記画像形成装置で解釈可能なプリンタ言語に変換する機能を有する情報処理装置とを有するローカルエリアネットワーク外に存在し、携帯端末から接続可能な印刷管理サーバの印刷管理方法であって、
前記携帯端末からの要求に従って、当該要求の送信元のアドレスと前記画像形成装置のアドレスを含む情報を記憶する画像形成装置情報記憶手段に記憶されたアドレスとを用いて、当該携帯端末と同じローカルエリアネットワーク内にある画像形成装置の候補として送信する画像形成装置候補送信ステップと、
前記画像形成装置候補送信手段により送信された画像形成装置の候補の中で、前記携帯端末により選択された画像形成装置で解釈可能なプリンタ言語に変換する機能を有する、前記ローカルエリアネットワーク内にある前記情報処理装置のアドレスを、当該情報処理装置のアドレスを記憶する記憶手段から取得し前記携帯端末に送信するアドレス送信ステップと
を有することを特徴とする印刷管理方法。
【請求項８】
請求項１乃至５のいずれか１項に記載の印刷管理サーバとして、コンピュータを機能させるためのプログラム。
【請求項９】
請求項８に記載されたプログラムを記録したコンピュータ読み取り可能な記録媒体。